(57)【要約】【課題】浴槽不用孔に盲蓋を取り付ける際、盲蓋の中心を不用孔の入口中心に確実に一致させ体裁よく取り付けねじを回転させて盲蓋を取り付けるとき挟着用部材の共廻りによる空転を防止すると共に構造簡単で製作容易で安価につく浴槽不用孔閉塞具を提供する。【解決手段】盲蓋１０とその中心に貫入するねじ２０と盲蓋１０内側に嵌合するパッキン３１とねじ２０に螺合する挟着用部材４０とからなり盲蓋１０をプレス成形により、不用孔５２入口側に内嵌する凸部１１と不用孔５２外周の浴槽内壁５１に当接する縁部１２に形成しパッキン３１を不用孔５２外周の浴槽内壁５１と盲蓋１０の縁部１２内側に嵌着して盲蓋１０を不用孔５２の中心に嵌入させ挟着用部材４０をプレス成形により中心部から２方向又は３方向の分岐部材４１、４２、４３に分け一分岐部材を他の分岐部材より前部が広幅にまたは前部が長くなるように形成して重量を加えねじ２０の駆動回転による挟着部材４０の空転を防止したもの。【選択図】        図２
0003102753.tif 000002
【実用新案登録請求の範囲】
【請求項１】
盲蓋１０と、その中心に貫入するパッキン座金２１、２２付ねじ２０と、ねじ２０に貫入して盲蓋１０内側に嵌合するパッキン３１と、ねじ２０に螺合する挟着用部材４０とからなる浴槽不用孔閉塞具において、盲蓋１０をプレス成形により、不用孔５２入口側に内嵌する凸部１１と、不用孔５２外周の浴槽５０内壁５１に当接する縁部１２に形成し、パッキン３１を不用孔５２外周の浴槽５０内壁５１と盲蓋１０の縁部１２内側に嵌着するように形成して盲蓋１０を不用孔５２の中心に嵌入できるようにすると共に、挟着用部材４０を、プレス成形により、中心部から２方向又は３方向に分岐した分岐部材４１、４２、４３に形成し、そのうちの一分岐部材４１を他の分岐部材４２、４３より前部が広幅になるように、または、前部が長くなるように形成して重量を加えて、ねじ２０の駆動回転による挟着部材４０の空転を防止できるようにしたことを特徴とする浴槽不用孔閉塞具。
【考案の詳細な説明】
【技術分野】
【０００１】
本考案は、浴槽の不用孔に盲蓋を取り付けて閉塞する浴槽不用孔閉塞具に関するものである。
【背景技術】
【０００２】
従来、加熱装置取替等のため、浴槽に不用孔が生じた場合、特開平１０−２３４６００号公報の図１及び図４に示すように、盲蓋であるカバー５と、カバー５内側に内嵌する孔閉塞用パッキン２とを、取付ねじ４と挟着用部材３により、浴槽内壁に取り付けていたが、孔閉塞用パッキン２に凸部１５を設けるので、カバー５が不用孔に向かって湾曲せざるを得ないため、浴槽壁から盛り上がる恰好となり体裁上あまりよくない欠点があった。
また、実開平６−７５２８７号公報の図３に示すように、蓋体２にフランジ状の突条のリブ９を設けて嵌めやすくすると共に、挟着用部材の外部当接部材５に重錘１２を付加したものがあったが、蓋体２にリブ９を設けることや、外部当接部材５に重錘１２を付加することは製作費が高価につく欠点があった。
そこで、本考案者は、プレス成形により、盲蓋に、浴槽不用孔に内嵌する凸部を設けて、盲蓋の中心が不用孔の入口中心に正確に位置でき、かつ、浴槽内壁に低着するようにすると共に、プレス成形により、挟着用部材の一つの分岐部材を他の分岐部材より重く形成することにより、取付けねじの駆動回転による挟着用部材の空転を防止して、挟着用部材を迅速容易に、盲蓋と挟着できるようにし、コストの大巾引き下げに成功した。
【特許文献１】特開平１０−２３４６００号公報
【特許文献２】実開平６−７５２８７号公報
【考案の開示】
【考案が解決しようとする課題】
【０００３】
本考案は、浴槽不用孔に盲蓋を取り付ける際、盲蓋の中心を不用孔の入口中心に、確実に一致させると共に、盲蓋前面が浴槽内壁に低着して体裁よく取り付けることができるようにした浴槽不用孔閉塞具を提供するものである。
また、本考案は、取り付けねじを回転させて盲蓋を取り付けるとき、挟着用部材の共廻りによる空転を防止することができるようにした浴槽不用孔閉塞具を提供するものである。
また、本考案は、構造簡単で、浴槽内から一人で、盲蓋の取り付け作業ができるようにした浴槽不用孔閉塞具を提供するものである。
さらに、本考案は、製作容易で安価につく浴槽不用孔閉塞具を提供するものである。
【課題を解決するための手段】
【０００４】
本考案の浴槽不用孔閉塞具は、上記課題を達成するため、図示するように、盲蓋１０と、その中心に貫入するパッキン座金２１、２２付ねじ２０と、ねじ２０に貫入して盲蓋１０内側に嵌合するパッキン３１と、ねじ２０に螺合する挟着用部材４０とからなる浴槽不用孔閉塞具において、盲蓋１０をプレス成形により、不用孔５２入口側に内嵌する凸部１１と、不用孔５２外周の浴槽５０内壁５１に当接する縁部１２に形成し、パッキン３１を不用孔５２外周の浴槽５０内壁５１と盲蓋１０の縁部１２内側に嵌着するように形成して盲蓋１０を不用孔５２の中心に嵌入できるようにすると共に、挟着用部材４０を、プレス成形により、中心部から２方向又は３方向に分岐した分岐部材４１、４２、４３に形成し、そのうちの一分岐部材４１を他の分岐部材４２、４３より前部が広幅になるように、または、前部が長くなるように形成して重量を加えて、ねじ２０の駆動回転による挟着部材４０の空転を防止できるようにしたものである。
本考案において、パッキン３１は、合成ゴム製又は合成樹脂製で、断面長方形のリング状のほか、断面円形又は断面楕円形のリング状に形成されたものでもよい。
または、本考案において、盲蓋１０の縁部１２は、図２に示すように、コ字状断面のもののほか、図１２−１に示すように、平板状断面のもの１０Ｂや、図１２−２に示すように、円弧状断面のもの１０Ｃや、図１２−３に示すように、円断面のパッキン３１Ｄの嵌入できる丸溝をつけた平板状断面のもの１０Ｄでもよい。
【考案の効果】
【０００５】
本考案の浴槽不用孔閉塞具は、浴槽不用孔に盲蓋を取り付ける際、盲蓋を不用孔入口に嵌入するだけで、盲蓋の中心を不用孔の中心に正確に位置決めして作業ができる。
また、本考案の盲蓋は、浴槽側からは平板で、盲蓋の凸部が浴槽不用孔に嵌入するので、盲蓋が浴槽内壁に低着して体裁よく、入浴時接触して邪魔にならない。
また、盲蓋と挟着用部材の挟着のため、盲蓋の取付ねじを電動回転させても、挟着用部材が共廻りして空転することなく、迅速に挟着が完了する。
さらに、本考案品の盲蓋、挟着用部材は、いずれも一回のプレス成形で製作でき、また、パッキンも平板の打ち抜きで成形できるので、大幅にコストをさげることができる。
【考案を実施するための最良の形態】
【０００６】
本考案は、構造簡単、製作容易な浴槽不用孔閉塞具を実現した。
【実施例】
【０００７】
本考案の実施例が図１乃至図１１に示されている。
本考案の浴槽不用孔閉塞具は、盲蓋１０と、パッキン座金付ねじ２０と、パッキン３１と、挟着用部材４０とを備えている。
盲蓋１０は、図１乃至図５に示すように、ステンレス板製でプレス成形により、中央部を浴槽不用孔５２に内嵌できる凸部１１に形成され、外周部がパッキン３１と係着する縁部１２に形成され、前記凸部１１の中心にねじ２０の貫通穴１３が設けられている。
ねじ２０は、ステンレス製の十字孔付き小ねじで、盲蓋１０の貫通穴１３とねじ２０頭部の間で水洩れが生じないように、ねじ頭下に防水パッキン２１と滑り座金２２が嵌入されている。
パッキン３１は、断面長方形のリング状のもので、合成ゴム板から打ち抜き成形されている。
挟着用部材４０は、図２及び図６に示すように、ステンレス板製でＹ字状にプレス成形されたもので、中心部にねじ２０に螺合する雌ねじ穴４４を設けられ、中心から分岐するＹ字状の各分岐部材４１、４２、４３は、断面がコ字状に形成され、一個の分岐部材４１は横幅（a）が他の２個の分岐部材４２、４３の横幅（b）より広く形成されて重くなっている。  また、挟着用部材４０は、図９に示すように、一個の分岐部材４１Ｂが他の２個の分岐部材４２Ｂ、４３Ｂより長さlだけ長く形成して重くした４０Ｂでもよく、また、図１０及び図１１に示すように、Ｉ字状にプレス成形されたものでもよい。
従って、盲蓋１０を浴槽不用孔５２に取り付ける際は、盲蓋１０の縁部１２にパッキン３１を嵌着し、中心の貫通穴１３にパッキン座金２１、２２付ねじ２０を貫入し、挟着用部材４０をねじ２０の螺棒２３に螺合し、浴槽の内側から不用孔５２を介して、浴槽の外側に挟着用部材４０を入れ、次いで、盲蓋１０の凸部１１を不用孔５２の入口側に内嵌すると共に、パッキン３１が浴槽内壁５１に圧着するまで、ねじ２０を不用孔５２内に押し込み、ねじ２０を電動ドライバーで駆動回転させれば、浴槽外側の挟着用部材４０は、他の分岐部材４２、４３より重い分岐部材４１が下側にきて、ねじ２０の回転により挟着用部材４０が共廻りすることなく、浴槽外壁５３に迅速に挟着して、盲蓋１０を浴槽不用孔５２の中心に浴槽内壁に低着して、体裁よく取り付けることができ、盲蓋の取り付け作業が、浴槽内から、一人で、簡単、迅速、確実に行うことができる。
【産業上の利用可能性】
【０００８】
浴槽湯供給設備の進展に伴う浴槽不用孔の発生に体裁よく対応できる。
【図面の簡単な説明】
【０００９】
【図１】本考案の実施例を示す側面図である。
【図２】図１の断面図である。
【図３】図１の正面図である。
【図４】図３の背面図である。
【図５】盲蓋の背面図である。
【図６】挟着用部材の背面図である。
【図７】パッキンの正面図である。
【図８】本考案実施例の使用状態説明図である。
【図９】別の実施例の挟着用部材の背面図である。
【図１０】さらに別の実施例の挟着用部材の背面図である。
【図１１】さらに別の実施例の挟着用部材の背面図である。
【図１２】別の実施例の盲蓋の断面図である。
【符号の説明】
【００１０】
１０    盲蓋
１１    盲蓋の凸部
１２    盲蓋の縁部
１３    盲蓋の貫通穴
２０    パッキン座金付ねじ
２１    防水パッキン
２２    滑り座金
３１    パッキン
４０、４０Ｂ、４０Ｃ、４０Ｄ    挟着用部材
４１、４１Ｂ、４１Ｃ、４１Ｄ、４２、４２Ｂ、４２Ｃ、４２Ｄ、４３、４３Ｂ、４３Ｃ、４３Ｄ    分岐部材
５０    浴槽
５１    浴槽内壁
５２    浴槽の不用孔
５３    浴槽外壁
【図１】
0003102753.tif 000003
【図２】
0003102753.tif 000004
【図３】
0003102753.tif 000005
【図４】
0003102753.tif 000006
【図５】
0003102753.tif 000007
【図６】
0003102753.tif 000008
【図７】
0003102753.tif 000009
【図８】
0003102753.tif 000010
【図９】
0003102753.tif 000011
【図１０】
0003102753.tif 000012
【図１１】
0003102753.tif 000013
【図１２】
0003102753.tif 000014